【手続補正書】
【提出日】平成18年1月23日(2006.1.23)
【手続補正１】
【補正対象書類名】明細書
【補正対象項目名】発明の名称
【補正方法】変更
【補正の内容】
【発明の名称】画像データ表示システム及びその画像データ表示方法、並びにプログラム、記憶媒体及び撮像装置
【手続補正２】
【補正対象書類名】明細書
【補正対象項目名】特許請求の範囲
【補正方法】変更
【補正の内容】
【特許請求の範囲】
【請求項１】  相互に通信可能な複数の撮像装置を含む画像データ表示システムにおいて、
前記複数の撮像装置は、画像データを撮影する撮影部と、前記画像データを前記複数の撮像装置間で互いに前記撮影した画像データを転送する通信部と、前記複数の撮像装置を識別する装置固有情報を保持する保持部と、前記自装置で撮影した画像データ及び前記通信部を介して転送された画像データを表示する表示部とを有し、
前記画像データ表示システムは、前記複数の撮像装置の内の一の撮像装置に対して、前記複数の撮像装置の内の他の撮像装置から前記通信部を介して転送された画像データと、前記一の撮像装置の撮影部において撮影された画像データとを、前記装置固有情報を用いて識別して前記一の撮像装置の表示部に表示するように制御する制御手段を設けたことを特徴とする画像データ表示システム。
【請求項２】  前記制御手段は、前記一の撮像装置において、前記一の撮像装置により撮影した画像データと、前記他の撮像装置により撮影した画像データとに、互いに異なる色の枠を付けて表示するように制御することを特徴とする請求項１記載の画像データ表示システム。
【請求項３】  前記制御手段は、前記一の撮像装置において、前記一の撮像装置により撮影した画像データと、前記他の撮像装置により撮影した画像データとに、互いに異なるアイコンを付けて表示するように制御することを特徴とする請求項１記載の画像データ表示システム。
【請求項４】  前記制御手段は、前記一の撮像装置において、前記一の撮像装置により撮影した画像データ、または、前記他の撮像装置により撮影した画像データを、選択して表示するように制御することを特徴とする請求項１記載の画像データ表示システム。
【請求項５】  前記制御手段は、前記一の撮像装置において、現在選択している画像データと同じ撮像装置により撮影した画像データのみ表示するように制御することを特徴とする請求項４記載の画像データ表示システム。
【請求項６】  前記装置固有情報は前記複数の撮像装置の夫々に固有の装置番号であり、前記一の撮像装置と前記他の撮像装置の各々により撮影した画像データに該画像データを識別するための画像番号を付加するための画像番号付加手段を備えたことを特徴とする請求項１記載の画像データ表示システム。
【請求項７】  前記制御手段は、前記一の撮像装置と前記他の撮像装置の各々において、前記画像データを前記装置番号と画像番号を含む画像データファイルとして記録することを特徴とする請求項６記載の画像データ表示システム。
【請求項８】  前記制御手段は、前記他の撮像装置より転送される画像データに対し、前記一の撮像装置において、前記画像番号付加手段により新たに発生した画像番号をファイル名の一部に組み込んだファイルを作成して、当該画像データを前記一の撮像装置に記録するように制御することを特徴とする請求項６又は７記載の画像データ表示システム。
【請求項９】  前記制御手段は、前記一の撮像装置に対して、前記他の撮像装置から画像データを前記通信部を介して転送する際に、前記他の撮像装置より転送される画像データが前記一の撮像装置内の同一固有画像番号を持つ画像データの撮影時刻、データサイズ及び画像データのいずれかと同一であると判断された場合は、画像データの転送は行わず、異なると判断された場合は、前記一の撮像装置において前記画像番号付加手段により新たに発生した画像番号をファイル名の一部に組み込んだファイルを作成して、当該画像データを前記一の撮像装置に記録するように制御することを特徴とする請求項６又は７記載の画像データ表示システム。
【請求項１０】  相互に通信可能な複数の撮像装置を含む画像データ表示システムの画像データ表示方法において、
画像データを撮影する撮影ステップと、
前記画像データを前記複数の撮像装置間で互いに前記撮影した画像データを転送する通信ステップと、
前記複数の撮像装置の各々を識別する装置固有情報を前記撮影ステップにおいて撮影された画像データ及び前記通信ステップにおいて転送された画像データを表示手段に表示する表示ステップとを有し、
前記複数の撮像装置の内の一の撮像装置に対して、前記複数の撮像装置の内の他の撮像装置から前記通信ステップにおいて転送された画像データと、前記一の撮像装置の撮影ステップにおいて撮影された画像データとを、前記装置固有情報を用いて識別して前記一の撮像装置の表示手段に表示するように制御する制御ステップを有することを特徴とする画像データ表示方法。
【請求項１１】  前記制御ステップは、前記一の撮像装置において、前記一の撮像装置により撮影した画像データと、前記他の撮像装置により撮影した画像データとに、互いに異なる色の枠を付けて表示するように制御することを特徴とする請求項１０記載の画像データ表示方法。
【請求項１２】  前記制御ステップは、前記一の撮像装置において、前記一の撮像装置により撮影した画像データと、前記他の撮像装置により撮影した画像データとに、互いに異なるアイコンを付けて表示するように制御することを特徴とする請求項１０記載の画像データ表示方法。
【請求項１３】  前記制御ステップは、前記一の撮像装置において、前記一の撮像装置により撮影した画像データ、または、前記他の撮像装置により撮影した画像データを、選択して表示するように制御することを特徴とする請求項１０記載の画像データ表示方法。
【請求項１４】  前記制御ステップは、前記一の撮像装置において、現在選択している画像データと同じ撮像装置により撮影した画像データのみ表示するように制御することを特徴とする請求項１３記載の画像データ表示方法。
【請求項１５】  前記装置固有情報は前記複数の撮像装置の夫々に固有の装置番号であり、前記一の撮像装置と前記他の撮像装置の各々で撮影した画像データに該画像データを識別するための画像番号を付加するための画像番号付加ステップを備えたことを特徴とする請求項１０記載の画像データ表示方法。
【請求項１６】  前記制御ステップは、前記一の撮像装置と前記他の撮像装置の各々において、前記画像データを前記装置番号と画像番号を含む画像データファイルとして記録するように制御することを特徴とする請求項１５記載の画像データ表示方法。
【請求項１７】  前記制御ステップは、前記他の撮像装置より転送される画像データに対し、前記一の撮像装置において、前記画像番号付加ステップにより新たに発生した画像番号をファイル名の一部に組み込んだファイルを作成して、当該画像データを前記一の撮像装置に記録するように制御することを特徴とする請求項１５又は１６記載の画像データ表示方法。
【請求項１８】  前記制御ステップは、前記一の撮像装置に対して、前記他の撮像装置から画像データを前記通信部を介して転送する際に、前記他の撮像装置より転送される画像データが前記一の撮像装置内の同一固有画像番号を持つ画像データの撮影時刻、データサイズ及び画像データのいずれかと同一であると判断された場合は、画像データの転送は行わず、異なると判断された場合は、前記一の撮像装置において前記画像番号付加ステップにより新たに発生した画像番号をファイル名の一部に組み込んだファイルを作成して、当該画像データを前記一の撮像装置に記録するように制御することを特徴とする請求項１５又は１６記載の画像データ表示方法。
【請求項１９】  請求項１０乃至１８のいずれか１項に記載の画像データ表示方法がプログラムコードで記述されたコンピュータで実行可能なプログラム。
【請求項２０】  請求項１９記載のプログラムを格納したことを特徴とする記憶媒体。
【請求項２１】  相互に通信可能な複数の撮像装置を含む画像データ表示システムにおける撮像装置において、
画像データを撮影する撮影手段と、
前記複数の撮像装置を識別する装置固有情報を保持する保持手段と、
前記複数の撮像装置の他の撮像装置で撮影された画像データと前記他の撮像装置を識別可能な装置固有情報を受信する受信手段と、
前記撮影手段によって撮影された画像データ及び前記受信手段を介して受信された前記他の撮像装置で撮影された画像データを表示する表示手段と、
前記撮影手段によって撮影された画像データと前記受信手段を介して受信された前記他の撮像装置で撮影された画像データを前記装置固有情報を用いて識別して前記表示手段に表示するように制御する制御手段とを有することを特徴とする撮像装置。
【手続補正３】
【補正対象書類名】明細書
【補正対象項目名】０００１
【補正方法】変更
【補正の内容】
【０００１】
【発明の属する技術分野】
本発明は、撮像装置相互間において転送（コピーまたは移動）された画像データを表示する画像データ表示システム及びその画像データ表示方法、並びにプログラム、記憶媒体及び撮像装置に関する。
【手続補正４】
【補正対象書類名】明細書
【補正対象項目名】０００９
【補正方法】変更
【補正の内容】
【０００９】
本発明は、上述したような従来技術の有する問題点を解消するためになされたもので、その目的は、複数台の撮像装置により撮影された画像データを互いに転送（コピーまたは移動）し、１台の撮像装置に纏めて表示を行う際に、画像データを容易に区別して表示することができるようにした撮像装置における画像データ表示システム及びその画像データ表示方法、並びにプログラム、記憶媒体及び撮像装置を提供することである。
【手続補正５】
【補正対象書類名】明細書
【補正対象項目名】００１０
【補正方法】変更
【補正の内容】
【００１０】
【課題を解決するための手段】
上記目的を達成するために、本発明の撮像装置における画像データ表示システムは、相互に通信可能な複数の撮像装置を含む画像データ表示システムにおいて、前記複数の撮像装置は、画像データを撮影する撮影部と、前記画像データを前記複数の撮像装置間で互いに前記撮影した画像データを転送する通信部と、前記複数の撮像装置を識別する装置固有情報を保持する保持部と、前記自装置で撮影した画像データ及び前記通信部を介して転送された画像データを表示する表示部とを有し、前記画像データ表示システムは、前記複数の撮像装置の内の一の撮像装置に対して、前記複数の撮像装置の内の他の撮像装置から前記通信部を介して転送された画像データと、前記一の撮像装置の撮影部において撮影された画像データとを、前記装置固有情報を用いて識別して前記一の撮像装置の表示部に表示するように制御する制御手段を設けたことを特徴とする。